(57)【要約】  網投射装置は、終端を有する筒１と、筒（溝）１から網を発射する網発射手段（２）と、折畳まれた網３と、網３の周縁に取り付けた網３を展開するための複数のおもり７を含み、筒（溝）１から網を発射した後に折畳まれた網を展開する網展開手段とを備える。網展開手段は、筒（溝）１において網発射手段２と折畳まれた網３との間に配置されている閉止プラグ４をさらに備える。おもり７は、おもり７の数に基づいて形成される複数の閉止プラグ４のソケットに設置されている。閉止プラグ４は、閉止プラグ４のソケットからすべてのおもり７を筒（溝）１の外側に放射状に同時に発射するためのおもり発射手段を備える。【選択図】図１
2009544000.tif 000002
【特許請求の範囲】
【請求項１】
終端を有する筒と、
前記筒内で前記筒のスポットエンドの横方向に配置されている筒溝から網を発射させる網発射手段と、
折畳まれた網と、
前記筒溝から前記網を発射した後に、前記折畳まれた網を展開するために網の周縁に取り付けられ、折畳まれた網を展開するための複数のおもりを含む網展開手段と、
を備える網投射装置であって、
前記網展開手段は、前記筒溝において前記網発射手段と前記折畳まれた網との間に配置されている閉止プラグをさらに備えており、
前記おもりは、前記おもりの数に基づいた複数の前記閉止プラグのソケットに設置されており、
前記閉止プラグは、前記閉止プラグのソケットからすべてのおもりを前記筒溝の外側に放射状に同時に発射するためのおもり発射手段を備える網投射装置。
【請求項２】
前記網発射手段はガス膨張式駆動源である請求項１に記載の装置。
【請求項３】
前記閉止プラグのソケットは放射状に形成されており、前記閉止プラグのソケットは前記閉止プラグの横方向の伝熱面に出口を有しており、前記閉止プラグのソケットの入口は前記閉止プラグと前記網発射手段との間にある筒溝内部の空間と連通している請求項２に記載の装置。
【請求項４】
前記閉止プラグは前記筒溝に配置されているスカートを有するピストンであり、前記スカートは前記網発射手段に面しており、前記閉止プラグのソケットは前記ピストンの底部に設置されている請求項３に記載の装置。
【請求項５】
前記閉止プラグは同軸方向に形成されており、前記網発射手段に向かって開口している止まり穴を有しており、前記閉止プラグのソケットの前記出口が前記止まり穴と連通している請求項３に記載の装置。
【請求項６】
前記閉止プラグのソケットは放射状に形成されており、前記おもりは前記閉止プラグのソケットに滑り嵌めによって設置されており、前記閉止プラグのソケットは前記閉止プラグの横方向の伝熱面に出口を有しており、前記おもり発射手段は前記閉止プラグのソケットに装着されているとともに、前記閉止プラグのソケットの前記出口に向かうように前記おもりを定位置に止めている複数のばねを備える請求項１に記載の装置。
【請求項７】
前記おもりは前記筒溝の内壁に押し付けられるようばねで定位置に止められている請求項６に記載の装置。
【請求項８】
前記おもりは、前記閉止プラグにその横方向の伝熱面に沿って取り付けられ、前記閉止プラグと共に前記筒溝に挿入されているリングに押し付けられるようばねで定位置に止められており、前記リングは前記閉止プラグの横方向の伝熱面を前記筒の開口端の外側に解放する請求項６に記載の装置。
【請求項９】
前記おもり発射手段が、前記折畳まれた網を越えて突出しており、前記リングと接続されている開始要素をさらに備えており、前記開始要素の突出部分が障害物に衝突した際に、前記開始要素によって前記リングが前記閉止プラグの横方向の伝熱面を解放する請求項８に記載の装置。
【請求項１０】
前記開始要素の突出部分が整形板を備えている請求項９に記載の装置。
【請求項１１】
前記リングはカップの側壁として実行されており、前記カップの底部の内面は前記網発射手段に対向した前記閉止プラグの端部と接触しており、前記閉止プラグは中心貫通孔を有しており、前記開始要素は前記筒溝の長手方向軸に沿って配置されており、滑り嵌めによって前記中心貫通孔を貫通し、その一端によって前記カップの底部に接触している中心ロッドとして実行されており、前記中心ロッドの別の自由端は前記折畳まれた網を貫通して、前記折畳まれた網の境界の外側に突出している請求項９に記載の装置。
【請求項１２】
前記リングが、前記側壁の周縁部分によって横方向の伝熱面に沿って前記閉止プラグに取り付けられており、前記閉止プラグと共に前記筒溝へ挿入されているカップ状の容器の側壁を備えており、前記折畳まれた網は前記カップ状の容器内に配置され、前記開始要素の前記突出部分が前記障害物に衝突する際に、前記おもりと前記折畳まれた網を解放するために、前記カップ状の容器は前記開始要素を用いて前記筒の前記開口端の外側で破断するように形成されている請求項９に記載の装置。
【請求項１３】
前記閉止プラグは中心貫通孔を有しており、前記開始要素は前記筒溝の長手方向軸に沿って配置される中心ロッドとして実行されており、前記自由端が前記障害物に衝突する際に、前記自由端によって前記カップ状の容器が破断するように形成されており、前記中心ロッドの一端は滑り嵌めによって前記中心貫通孔を貫通しており、前記中心ロッドの別の自由端は前記折畳まれた網を貫通し、前記折畳まれた網の境界および前記カップ状の容器の境界の両方の外側に突出している請求項１２に記載の装置。
【請求項１４】
前記中心ロッドは前記折畳まれた網の中央の目を貫通している請求項１１または請求項１３に記載の装置。
【請求項１５】
前記閉止プラグのソケットは円形の横断面を有している請求項１から請求項１３のいずれか１項に記載の装置。
【請求項１６】
前記おもりは円筒状または球形の形状を有している、請求項１５に記載の装置。
【請求項１７】
おもりが同じ質量および形状を有し、前記閉止プラグのソケットに同じ直径上に均等に設置されている、請求項１から請求項１３のいずれか１項に記載の装置。
【請求項１８】
前記筒は円筒形の筒溝を備えた円筒状である請求項１から請求項１３のいずれか１項に記載の装置。
【請求項１９】
前記おもりはコードを用いて前記網の周縁に取り付けられている請求項１から請求項１３のいずれか１項に記載の装置。
【請求項２０】
前記筒の開口端は、容易に取り外せるカバーであるか、または容易に破断可能な容器によって閉止されている請求項１から請求項１３のいずれか１項に記載の装置。
【発明の詳細な説明】
【技術分野】
【０００１】
本発明は飛行しない火器に関し、特に、網を投射することによって生体を捕獲し、公の秩序の維持に使用されることができると共に、家畜や野生動物や野鳥を捕獲するための装置に関する。
【背景技術】
【０００２】
ガス膨張式駆動源と、折畳まれた網および周縁に取り付けられるおもりを含む網の折り畳み手段を内部に有するハウジングを備えた網投射装置が知られている（例えば、特許文献１：２００２年１２月１０日公開、日本国特開第２００２−３５５３２３号）。ガスが膨張する結果として、網がハウジング出口から発射され、飛散するおもりの効果で展開され、捕獲されるべき近くの生体を覆う。この種の装置の基本的な問題点は、有効範囲が小さく、遠距離への使用が不適当であり、網を展開するシステムが十分に開発されていないことである。
【０００３】
ガス膨張式駆動源と、折畳まれた網および周縁に固定されているおもりを含む網の展開手段を内部に有し、ヘッドが着脱可能な発射体として形成されるハウジングを備える網投射装置が存在する（例えば特許文献２：１９４０年１２月１４日公開、仏国特許発明第８５９２８２号）。発射ヘッドは点火された装薬の効果によって捕獲されるべき生体まで飛行すると、切り離され、ケーシングから離れるとともに飛散するおもりによって飛行中に展開される網を解き放つ。これにより、網が生体を覆い、生体を捕獲する。この装置の基本的な問題点は、使用する領域に制限があり、短距離への使用には不適当であり、構造が複雑であると共に、網を展開する手段に信頼性がないことである。
【０００４】
プロトタイプとして、その内部に、ガス膨張式駆動源と、粘着性物質で処理した折畳まれた網と、周縁に固定されたおもりとして実行される網の展開手段を有するハウジングを備えた網投射装置が存在する（例えば特許文献３：１９９６年５月８日公開、加国特許発明第２１６２２２１号）。この既知の装置の基本的な問題点は、それを使用する領域に制限があり、網を展開する手段の信頼性がないことである。
【先行技術文献】
【特許文献】
【０００５】
【特許文献１】特開第２００２−３５５３２３号公報
【特許文献２】仏国特許発明第８５９２８２号明細書
【特許文献３】加国特許発明第２１６２２２１号明細書
【発明の概要】
【発明が解決しようとする課題】
【０００６】
本件の技術的問題は、網投射装置の網展開手段の信頼性を改善し、強化すことによってその信頼性を向上させ、様々な距離に網投射装置を適用する方法を提供することである。
【課題を解決するための手段】
【０００７】
本発明による網投射装置は、発射する際に手で保持する終端を有する筒と、筒内で筒の終端の横方向に配置され、発射する際に筒溝から網を発射する網発射手段と、折畳まれた網と、筒溝から網を発射した後に、周縁に取り付けた網を展開するための複数のおもりを含む折畳まれた網を展開する網展開手段とを備える。新規の特徴は、網展開手段が、筒溝内に網発射手段と折畳まれた網との間に配置されている閉止プラグをさらに備え、おもりの数に基づいた複数の閉止プラグのソケットにおもりが設置されており、かつ、閉止プラグのソケットからすべてのおもりを筒溝の外側に放射状に同時に発射するために、閉止プラグがおもり発射手段を備えることである。
【０００８】
好ましくは、網発射手段は、ガス膨張式駆動源である。
より好ましくは、閉止プラグのソケットを放射状に形成することである。このようにすることで、閉止プラグのソケットは、閉止プラグの横方向の伝熱面に出口を有し、また閉止プラグのソケットの入口は、閉止プラグと網発射手段との間にある筒溝内部の空間と連通する。このような閉止プラグの孔−ソケットシステムは、ガス膨張力によってすべてのおもりを同時に発射する手段として役立つ。
【０００９】
望ましくは、閉止プラグを、筒溝に配置されているスカートを有するピストンとして形成することである。このスカートは網発射手段に面しており、閉止プラグのソケットはピストンの底部に組み込まれる。また、止まり穴を閉止プラグ内に閉止プラグと同軸に形成することができる。これによって、止まり穴は網発射手段に向かって開口し、閉止プラグのソケットの出口は、この止まり穴と連通する。
【００１０】
別の実施形態によると、閉止プラグのソケットが放線状に形成され、おもりが閉止プラグのソケットに滑り嵌めによって設置される。閉止プラグのソケットは、閉止プラグの横方向の伝熱面に出口を有する。おもり発射手段は、閉止プラグのソケットに装着され、かつ閉止プラグのソケットの出口に向かっておもりを定位置で止める複数のばねを備える。このような閉止プラグの構造は、圧縮されたばねの位置エネルギーによってすべてのおもりを同時に発射する手段として役立つ。
この場合、おもりは、筒溝の内壁を押圧するように、ばねで定位置に止められてもよい。
【００１１】
また、おもりは、閉止プラグにその横方向の伝熱面に沿って取り付けられ、閉止プラグと共に筒溝に挿入されるリングを押圧するよう、ばねで定位置にとめられていてもよい。この場合、リングは、閉止プラグの横方向の伝熱面を筒の開口端の外側に解放することができる。
【００１２】
さらに、おもり発射手段は、折畳まれた網を越えて突出しており、リングと接続している開始要素をさらに備えてもよい。これにより、開始要素の突出部分が障害物に衝突した際に、開始要素はリングに閉止プラグの横方向の伝熱面を解放させることができる。さらに、開始要素の突出部分は、整形板を備えていてもよい。
【００１３】
さらに、リングがカップの側壁として実行されてもよい。カップの底部の内面は網発射手段に対向した閉止プラグの端部と接触する。閉止プラグが中心貫通孔を有し、開始要素は、筒溝の長手方向軸に沿って配置され、滑り嵌めによって中心貫通孔を貫通し、その一端がカップの底部に接触している中心ロッドとして実行される。中心ロッドの別の自由端は、折畳まれた網を貫通して、折畳まれた網の境界の外側に突出する。
【００１４】
また、リングは、側壁の周縁部分によって、横方向の伝熱面に沿って閉止プラグに取り付けられているとともに、閉止プラグと共に筒溝へ挿入されているカップ状の容器の側壁を備えていてもよい。これにより、折畳まれた網がカップ状の容器内に配置され、開始要素の突出部分が障害物に衝突した際に、おもりと折畳まれた網とを解放するために、カップ状の容器が開始要素によって筒の開口端の外側で破断させることができる。この場合、閉止プラグは中心貫通孔を有していてもよい。開始要素は筒溝の長手方向軸に沿って配置される中心ロッドとして実行され、自由端が障害物に衝突する際に自由端によってカップ状の容器が破断することができるように、その一端は滑り嵌めによって中心貫通孔を貫通する。また、中心ロッドの別の自由端は折畳まれた網を貫通し、折畳まれた網の境界およびカップ状の容器の境界の両方の外側へと突出する。
【００１５】
中心ロッドが折畳まれた網の中心の目を貫通することが好ましい。
閉止プラグのソケットは、円形の横断面を有していてもよい。この場合、おもりは円筒状または球形の形状を有していることが好ましい。
同じ質量および形状のおもりを形成し、閉止プラグにおもりを同じ直径上に均等に設置することが、より良好である。
筒は、円筒形の筒溝を備えた円筒状に形成されていてもよい。
おもりは、コードを用いて網の周縁に取り付けられていてもよい。
筒の開口端は、容易に取り外せるカバーか、または容易に破断可能な容器によって閉止されていてもよい。
【図面の簡単な説明】
【００１６】
本発明を、以下の図面を参照しつつ、詳細に説明する。
【図１】本発明の一実施形態である短距離用の網投射装置の断面図を示す。
【図２】図１の装置のＡ−Ａ断面図を示す。
【図３】図１の装置の閉止プラグを、スカートを有するピストンとして実行している変形例を示す断面図である。
【図４】本発明の他の実施形態である長距離用の網投射装置の第１の変形例の断面図を示す。
【図５】図４の装置のＢ−Ｂ断面図を示す。
【図６】本発明の他の実施形態である長距離用の網投射装置の第２の変形例の断面図を示す。
【図７】図６の装置のＣ−Ｃ断面図を示す。
【発明を実施するための形態】
【００１７】
本発明を、特定の実施形態の例によって、より詳細に説明する。
【実施例１】
【００１８】
（短距離用の網投射装置）
網投射装置（図１および図２を参照）は、アルミニウム製で、直径が３５ｍｍの円筒形状の筒１を備えている。着脱可能な終端２が、ねじを用いて筒１の後端に設置されている。圧縮ガス容器（図示されていない）が、終端２の側方から筒１の内部に挿入されており、成形されたフッ素樹脂の一枚板から形成される閉止プラグ４によって折畳まれた網３から分離されている。閉止プラグ４の直径は、筒溝１の直径と等しく、ほぼ４５ｍｍであり、また、閉止プラグ４の厚さは１１ｍｍである。閉止プラグ４の周縁に、その厚さの中央部分において放射状に配置されている４つのソケット５を備えている。ソケット５は円形の横断面を有し、その中におもり７が設置される。ソケット５の直径は６ｍｍであり、ソケット５の深さは１７ｍｍである。おもり７は鉛でできており、銃の弾丸のように最先部が丸くなった円筒形状をしている。またおもり７は、コード８を用いて折畳まれた網３の周縁に取り付けられている。ソケット５は、同じ長さを有する通路溝及び横断面によって、圧縮ガス容器を備える終端２に向かって開口している中央の止まり穴６に接続されている。
【００１９】
装置を準備する際には、おもり７を閉止プラグ４のソケット５に設置し、その後、おもり７と共に閉止プラグ４を筒１の開口端を通ってその溝に挿入し、終端２の突出縁部に当接して停止させる。ついで、折畳まれた網３を閉止プラグ４上に配置し、その後、折畳まれた網３の側方にある筒１の開口端を、容易に着脱可能である平カバー９で覆う。ついで、終端２を緩め、筒１の後端を通して圧縮ガス容器（図示されていない）を設置し、終端２を初期位置までネジ止める。
【００２０】
圧縮ガス容器が作動し始めると、ガスが膨張して閉止プラグ４の裏面を押圧し、ガスの作用によって折畳まれた網３を押しながら閉止プラグ４が筒１の開口部分に向かって移動し始める。これによって、平カバー９が剥がれる。同時に、膨張ガスが、おもり７が設置された中央の止まり穴６を通ってソケット５に進入し、おもり７の後端を押圧する。おもり７は、筒１の開口端から離れた直後、筒溝１から変形し、この結果、膨張ガスの効果によっておもりがソケット５から放射状に離れ、コード８が引かれ、飛行中に折畳まれた網３が展開される。この場合、網３は、短距離に位置する捕獲する生体に向かって移動し続け、その目標物を覆い、その周囲に巻きつき、また目標物が移動しないようにする。
【００２１】
図１および図２に示しているように、装置は、ディスクとして形成されている閉止プラグ４を備える。ソケット５からおもり７を逃がす信頼性を増すために、閉止プラグ４は、図３に示すようなスカートを有するピストン１６として形成されてもよい。このように設計されることで、筒の溝から閉止プラグ４を逃がす際におもり７の裏部へ作用する膨張ガスの作用効果時間が、ピストン１６のスカートがその全長部分に亘って筒１の開口端を通るのに必要な時間だけ増加する。
【００２２】
ガス圧縮容器の代わりに任意の適した点火器が使用されてもよく、特に、燃焼ガスの拡張作用によって折畳まれた網３を投射することのできるようなものが使用されてもよい。
【実施例２】
【００２３】
（長距離用網投射装置  第１の変形例）
本実施例の装置の設計（図４および図５を参照）は、実施例１に記載されている設計と類似しており、ソケット５に設置されるおもり７がコイルばね１０によって定位置に止められており、閉止プラグ４の中心部分に、中心ロッド１１がスライド可能に形成設置されている貫通孔を有しており、中心ロッドが、網の縁部から等しい距離にある、折畳まれた網３の中央の目を貫通している点で実施例１と異なる。本実施例では、捕獲する目標物まで飛行し、さらにその本体に衝突するまでの間に折畳まれた網３をより効率的に展開するため、中心ロッド１１の自由端に円錐形の形状を有する整形板１２を備えている。発射されるおもり７によって生体が偶発的に負傷しないように、中心ロッド１１の軸に対する整形板１２の円錐角は約４５°とすることが好ましい。折畳まれた網３は、脆弱なプラスチックでできた薄いシェル容器１３を備えており、この一縁は、ばねで定位置に止めたおもり７を重畳するために、閉止プラグ４を覆っている。中心ロッド１１は、２０〜４０ｍｍだけ筒１の開口端から突出している。これによって、薄いシェル容器１３が円錐形の形状を有する整形板１２と衝突することで破壊され、閉止プラグ４の縁部が解放され、固定されていないばね１０の影響でおもり７がソケット５から自由に発射される。中心ロッド１１の整形板１２と共に筒１の開口端が、半球体として形成される容易に着脱可能なカバー１４によって閉止される。
【００２４】
筒１の溝から発射した後に、閉止プラグ４とばねで定位置に止めたおもり７と折畳まれた網３と薄いシェル容器１１と中心ロッド１３を含むシステムが捕獲対象まで矢のように飛行し、整形板１２がこの捕獲対象に衝突した後すぐに、放線状に発射されるおもり７によって、折畳まれた網が展開される。
【実施例３】
【００２５】
（長距離用の網投射装置  第２の変形例）
本実施例の装置の設計（図６および図７を参照）は、実施例２に記載されている設計と類似しており、金属製でカップ形状をしたスライドリング１５が閉止プラグ４に取り付けられ、これによってスライドリング１５がばねで定位置に止めたおもり７を内部に有するソケット５を重畳している点で実施例２と異なる。おもり７は、閉止プラグ４の内部にばねによって定位置に止められており、これによって、閉止プラグ４に対して横方向の伝熱面に沿って滑り嵌めによって取り付けられているスライドリング１５に対して、おもり７が押しつけられる。また、スライドリング１５は、筒１の開口端の外側で閉止プラグ４を滑り落ちることができるように形成されている。おもり７を押し出して発射するおもり発射手段は、折畳まれた網３から突き出ており、中心ロッド１１の突出部分に障害物が衝突した際に、スライドリング１５が閉止プラグ４から滑り落ちることができる開始要素を備えており、この結果、スライドリング１５が閉止プラグ４から逆方向へと取り外される。
【００２６】
上記の実施例は、本発明の実施形態の方法を説明するためだけに使用され、請求項による法的保護を制限するものではない。当業者は、簡単に本発明の他の改変を実施することができる。
【図１】
2009544000.tif 000003
【図２】
2009544000.tif 000004
【図３】
2009544000.tif 000005
【図４】
2009544000.tif 000006
【図５】
2009544000.tif 000007
【図６】
2009544000.tif 000008
【図７】
2009544000.tif 000009
【国際調査報告】
2009544000.tif 000010
2009544000.tif 000011